(57)【要約】【課題】単純な構成でも、ないしは、ラベル材料を一層としても吊下げ時の耐久性を確保可能であって、安価に製造可能な吊下げラベルを提供すること。【解決手段】互いに向かい合わせに貼り合わせ可能な一対の吊下げ片部材６から吊下げ部３を構成することに着目したもので、医薬品用容器に貼り付けて医薬品用容器を吊下げ用フックに吊り下げるための吊下げラベルであって、医薬品用容器に貼付け可能な貼付け部２と、貼付け部２に一体に形成するとともに吊下げ用フックに引っ掛けて医薬品用容器を吊り下げ可能とする吊下げ部３と、を有するとともに、吊下げ部３は、互いに向かい合わせに貼り合わせ可能な一対の吊下げ片部材６からこれを構成したことを特徴とする。【選択図】図１
2008058516.tif 000002
【特許請求の範囲】
【請求項１】
医薬品用容器に貼り付けてこの医薬品用容器を吊下げ用フックに吊り下げるための吊下げラベルであって、
前記医薬品用容器に貼付け可能な貼付け部と、
この貼付け部に一体に形成するとともに前記吊下げ用フックに引っ掛けて前記医薬品用容器を吊り下げ可能とする吊下げ部と、
を有するとともに、
前記吊下げ部は、互いに向かい合わせに貼り合わせ可能な一対の吊下げ片部材からこれを構成したことを特徴とする吊下げラベル。
【請求項２】
前記医薬品用容器に容れた医薬品を特定するための情報を表示する情報表示部を有することを特徴とする請求項１記載の吊下げラベル。
【請求項３】
前記情報表示部は、前記貼付け部にこれを設けることを特徴とする請求項２記載の吊下げラベル。
【請求項４】
前記情報表示部は、前記吊下げ部にこれを設けることを特徴とする請求項２記載の吊下げラベル。
【請求項５】
前記貼付け部は、少なくとも前記医薬品用容器の円周長さに近い長さを有することを特徴とする請求項１記載の吊下げラベル。
【請求項６】
前記吊下げ部は、前記貼付け部を底辺とする台形状にこれを形成したことを特徴とする請求項１記載の吊下げラベル。
【請求項７】
前記一対の吊下げ片部材はそれぞれ、
前記貼付け部から延びる左右一対の支持用傾斜部と、
この支持用傾斜部の間に延びる吊下げ用水平部と、を有するとともに、
この吊下げ用水平部において前記一対の吊下げ片部材を一体化可能とすることを特徴とする請求項１記載の吊下げラベル。
【請求項８】
前記貼付け部と前記支持用傾斜部との間の境界部、および
前記支持用傾斜部と前記吊下げ用水平部との間の境界部に、弧状の切欠き部を形成したことを特徴とする請求項７記載の吊下げラベル。
【請求項９】
前記一対の吊下げ片部材は、
前記医薬品用容器の円周方向において、対角線上で互いに反対位置に位置するような部位にこれを形成してあることを特徴とする請求項１記載の吊下げラベル。
【請求項１０】
前記貼付け部と前記吊下げ部との間の境界部に、弧状の切欠き部を形成したことを特徴とする請求項１記載の吊下げラベル。
【発明の詳細な説明】
【技術分野】
【０００１】
本発明は吊下げラベルにかかるもので、とくに医療分野において医薬ビンや点滴袋などの医薬品用容器を逆さに吊り下げて点滴を行うために、これらの医薬品用容器に貼り付ける吊下げラベルに関するものである。
【背景技術】
【０００２】
従来、点滴のために使用される吊下げ具としては、医薬品用容器を吊り下げるための樹脂製の吊下げ部分と、医薬品や患者などに関する情報を表示するための紙製の情報表示部分と、を有しているものがあるが、異なった材料を組み合わせているために、とくに最近におけるゴミの分別回収システムにはそぐわないという問題がある。
したがって、吊下げ部分および情報表示部分をともに同一の材料から構成し、双方の機能を備えた吊下げラベルが製品化されている。
【０００３】
たとえば、特許文献１の吊り具付ラベルのように、吊下げ部分を円弧状に形成し、さらに、ラベルを二層化することにより、吊下げ時の耐久性を保持したものがあるが、ラベルの構成を二層にしなければならず、構造が複雑でコストアップを避けられないという問題がある。
【０００４】
【特許文献１】特開２００５−２０６１９１号公報
【発明の開示】
【発明が解決しようとする課題】
【０００５】
本発明は以上のような諸問題にかんがみなされたもので、単純な構成でも吊下げ時の耐久性を保持可能な吊下げラベルを提供することを課題とする。
【０００６】
また本発明は、ラベル材料を一層としても吊下げ時の耐久性を確保可能な吊下げラベルを提供することを課題とする。
【０００７】
また本発明は、貼付け部および吊下げ部を同一材料から構成し、安価に製造可能な吊下げラベルを提供することを課題とする。
【０００８】
また本発明は、貼付け部および吊下げ部の間の境界部分における応力集中を回避可能とした吊下げラベルを提供することを課題とする。
【課題を解決するための手段】
【０００９】
すなわち本発明は、互いに向かい合わせに貼り合わせ可能な一対の吊下げ片部材から吊下げ部を構成することに着目したもので、医薬品用容器に貼り付けてこの医薬品用容器を吊下げ用フックに吊り下げるための吊下げラベルであって、上記医薬品用容器に貼付け可能な貼付け部と、この貼付け部に一体に形成するとともに上記吊下げ用フックに引っ掛けて上記医薬品用容器を吊り下げ可能とする吊下げ部と、を有するとともに、上記吊下げ部は、互いに向かい合わせに貼り合わせ可能な一対の吊下げ片部材からこれを構成したことを特徴とする吊下げラベルである。
【００１０】
上記医薬品用容器に容れた医薬品を特定するための情報を表示する情報表示部を有することができる。
【００１１】
上記情報表示部は、上記貼付け部にこれを設けることができる。
【００１２】
上記情報表示部は、上記吊下げ部にこれを設けることができる。
【００１３】
上記貼付け部は、少なくとも上記医薬品用容器の円周長さに近い長さを有することができる。
【００１４】
上記吊下げ部は、上記貼付け部を底辺とする台形状にこれを形成することができる。
【００１５】
上記一対の吊下げ片部材はそれぞれ、上記貼付け部から延びる左右一対の支持用傾斜部と、この支持用傾斜部の間に延びる吊下げ用水平部と、を有するとともに、この吊下げ用水平部において上記一対の吊下げ片部材を一体化可能とすることができる。
【００１６】
上記貼付け部と上記支持用傾斜部との間の境界部、および上記支持用傾斜部と上記吊下げ用水平部との間の境界部に、弧状の切欠き部を形成することができる。
【００１７】
上記一対の吊下げ片部材は、上記医薬品用容器の円周方向において、対角線上で互いに反対位置に位置するような部位にこれを形成してあることができる。
【００１８】
上記貼付け部と上記吊下げ部との間の境界部に、弧状の切欠き部を形成することができる。
【発明の効果】
【００１９】
本発明による吊下げラベルにおいては、互いに向かい合わせに貼り合わせ可能な一対の吊下げ片部材から吊下げ部を構成することとしたので、使用時に吊下げ部を二層状態に積層して吊下げ部の強度を増強可能であり、吊下げ時の耐久性を保持可能である。
【発明を実施するための最良の形態】
【００２０】
本発明は、一対の吊下げ片部材から吊下げ部を構成することとしたので、使用時に互いに向かい合わせに貼り合わせて吊下げ部の強度を増強可能であり、吊下げ時の耐久性を保持可能な吊下げラベルを実現した。
【実施例】
【００２１】
つぎに本発明の実施例による吊下げラベル１を図１ないし図３にもとづき説明する。
図１は、吊下げラベル１の平面図、図２は、吊下げラベル１の裏面図、図３は、吊下げラベル１を医薬品用容器Ｍに貼り付けるとともに、吊下げ用フックＨに引っ掛けて医薬品用容器Ｍを逆さに吊り下げた状態を示す斜視図である。
吊下げラベル１は、全体を、たとえば厚さ１７５μｍ程度の透明な合成樹脂材料からこれを形成してあるとともに、貼付け部２と、吊下げ部３と、情報表示部４と、を有し、貼付け部２を医薬品用容器Ｍに貼り付け可能とし、吊下げ部３を吊下げ用フックＨに引っ掛け可能とし、さらに、医薬品用容器Ｍに容れた医薬品および点滴する患者などを特定するための情報を情報表示部４により表示する。
【００２２】
貼付け部２は、横に細長の矩形状であって、図２に示すように、貼付け部２の裏面には粘着剤層５を形成して医薬品用容器Ｍに貼り付け可能としている。
ただし、この貼付け部２は、医薬品用容器Ｍの円周方向にできるだけ広い領域にこれを貼り付けて、吊下げ荷重に耐え得るだけの貼付け力を保持するために、少なくとも医薬品用容器Ｍの円周長さに近い長さを有することが望ましい。
【００２３】
吊下げ部３は、この貼付け部２の一側に一体にこれを形成するとともに、互いに向かい合わせに貼り合わせ可能な一対の吊下げ片部材６からこれを構成する。
一対の吊下げ片部材６はそれぞれ、貼付け部２を底辺とする台形状にこれを形成している互いに合同な形状であって、貼付け部２から所定の幅で延びる左右一対の支持用傾斜部７と、この支持用傾斜部７の間に延びる吊下げ用水平部８と、を有する。
【００２４】
吊下げ用水平部８の裏面には粘着剤層９を形成して、この吊下げ用水平部８において一対の吊下げ片部材６を一体化可能とする。
すなわち、一対の吊下げ片部材６は、医薬品用容器Ｍの円周方向において、対角線上で互いに反対位置に位置するような部位の貼付け部２にこれを形成し、吊下げラベル１として医薬品用容器Ｍに貼付け部２を貼り付けた状態で、この一対の吊下げ片部材６が互いに対角線上に対向し、それぞれの粘着剤層９の部分で貼り合せ、吊下げ用水平部８の領域部分で二層状態に積層可能としてある。
なお、吊下げラベル１の裏面における粘着剤層５および粘着剤層９に、使用時に剥離可能な剥離紙（図示せず）を積層して、取扱いの便とすることができる。
【００２５】
さらに、貼付け部２と吊下げ部３との間の境界部すなわち、貼付け部２と支持用傾斜部７との間の境界部、および、支持用傾斜部７と吊下げ用水平部８との間の境界部に、わずかな半径の弧状の切欠き部１０を形成することにより、吊下げ時にこの境界部分に応力が集中しないようにしている。
【００２６】
情報表示部４は、吊下げ部３の吊下げ片部材６における支持用傾斜部７にこれを形成してあり、支持用傾斜部７の裏面に白インキ層１１を塗布する。
すなわち、医薬品用容器Ｍの識別番号などを特定するとともに、患者の認識番号などの各種情報をそれぞれの支持用傾斜部７における白インキ層１１の反対側の表面にバーコード１２などにより表示し、医薬品用容器Ｍを点滴用として準備したのち、患者に対して点滴を始める前に光学的読取りを可能として、点滴処置における過誤を防止する。
このバーコード１２などは、それぞれの支持用傾斜部７に同一情報を印字しておけば読取り処理が容易である。また、任意のプリンター（図示せず）によりバーコード１２その他の情報を印字可能とすることができる。
【００２７】
なお、情報表示部４は、支持用傾斜部７（吊下げ部３）にこれを設ける以外に、貼付け部２にこれを設けることもできる。
【００２８】
こうした構成の吊下げラベル１において、上記剥離紙を粘着剤層５および粘着剤層９から剥がし、図３に示すように、貼付け部２を医薬品用容器Ｍの下方円周方向に巻き付けるように貼り付け、その対角線上で互いに対向する部位に位置することになる一対の吊下げ片部材６をその吊下げ用水平部８における粘着剤層９の部分で互いに向かい合わせるように貼り付けて、互いの吊下げ用水平部８を一体化する。
【００２９】
この状態で、医薬品用容器Ｍを逆さまにひっくり返し、二層状態となった吊下げ用水平部８に吊下げ用フックＨを引っ掛けることにより、スタンドＳにおいて医薬品用容器Ｍを所定の高さに保持することができる。
【００３０】
したがって、必要な点滴を行うことができるとともに、互いに同じ形状および大きさの合計四本の支持用傾斜部７により医薬品用容器Ｍの荷重を均等に分担保持し、かつ、互いに同じ形状および大きさで二層に積層した状態の吊下げ用水平部８により全体を吊り下げ支持するので、吊下げ時の耐久性を充分に確保することができる。
【００３１】
なお、貼付け部２と吊下げ部３との間の境界部、および吊下げ部３における支持用傾斜部７と吊下げ用水平部８との間の境界部に弧状の切欠き部１０を形成してあるので、医薬品用容器Ｍの吊下げによってもこの境界部に応力が集中することがなく、この部分から破断することを防止可能である。
【００３２】
なお、吊下げ部３（一対の合同な吊下げ片部材６）の形状としては、上述の実施例におけるように台形以外にも、円形、楕円形、その他任意の形状を採用可能である。
【図面の簡単な説明】
【００３３】
【図１】本発明の実施例による吊下げラベル１の平面図である。
【図２】同、吊下げラベル１の裏面図である。
【図３】同、吊下げラベル１を医薬品用容器Ｍに貼り付けるとともに、吊下げ用フックＨに引っ掛けて医薬品用容器Ｍを逆さに吊り下げた状態を示す斜視図である。
【符号の説明】
【００３４】
１  吊下げラベル（実施例）
２  貼付け部
３  吊下げ部
４  情報表示部
５  貼付け部２の粘着剤層
６  一対の合同な吊下げ片部材
７  吊下げ片部材６における左右一対の支持用傾斜部
８  吊下げ片部材６における吊下げ用水平部
９  吊下げ用水平部８の粘着剤層
１０  弧状の切欠き部
１１  情報表示部４（支持用傾斜部７）の裏面側の白インキ層
１２  情報表示部４のバーコード
Ｍ    医薬品用容器（図３）
Ｈ    吊下げ用フック
Ｓ    スタンド
【図１】
2008058516.tif 000003
【図２】
2008058516.tif 000004
【図３】
2008058516.tif 000005